(57)【要約】【課題】一般ユーザが手軽に自分の好みの顔イメージを作成することのできるモンタージュ写真作成方法及び装置の提供。【解決手段】メモリカードに、予め目、鼻、口など複数種類のパーツデータを、各種類ごとに複数記憶しておき、カメラ付き携帯電話の表示部に表示してなる顔画像に、前記メモリカードから読み出した前記パーツデータを合成する。モンタージュ写真を受信サーバに送信し、該受信サーバに接続されている画像処理サーバにて、ユーザが指定した所定の処理を自動実行し、前記ユーザに配信する。【選択図】  図９
2009140047.tif 000002
【特許請求の範囲】
【請求項１】
メモリカードに、予め目、鼻、口など複数種類のパーツデータを、各種類ごとに複数
記憶しておき、カメラ付き携帯電話の表示部に表示してなる顔画像に、前記メモリカ
ードから読み出した前記パーツデータを合成することを特徴とするモンタージュ写
真作成方法。
【請求項２】
パーツデータの選択は、メモリカードから読み出された最初のパーツデータが、ユー
ザの選択した位置に仮表示され、ユーザの操作に従って以降シーケンシャルに次のパ
ーツデータが表示されるよう構成されてなることを特徴とする請求項１記載のモン
タージュ写真作成方法。
【請求項３】
ユーザの操作により、仮表示されたパーツデータを、該仮表示された位置から上下又
は左右に移動し、若しくは拡大、縮小することを特徴とする請求項２記載のモンター
ジュ写真作成方法。
【請求項４】
請求項１乃至請求項３いずれかの方法で作成したモンタージュ写真を受信サーバに送信し、該受信サーバに接続されている画像処理サーバにて、ユーザが指定した所定の処理を自動実行し、前記ユーザに配信することを特徴とする画像配信方法。
【請求項５】
ユーザが購入したメモリカードに、固有のライセンスキーが予め設定されてなり、最初の配信サービスを受ける際にユーザが該ライセンスキーを自己の携帯電話に関連つけて前記受信サーバに登録することを特徴とする請求項４記載の画像配信方法。
【請求項６】
カメラ付き携帯電話の表示部に表示してなる顔画像に、メモリカードに予め記憶して
なる目、鼻、口などのパーツデータを合成するカメラ付き携帯電話用アプリケーショ
ンプログラム。
【請求項７】
予め目、鼻、口など複数種類のパーツデータを各種類ごとに複数記憶してなるメモ
リカードと、請求項６のアプリケーションプログラムを具備してなるカメラ付き携
帯電話とのコンビネーションからなるモンタージュ写真作成装置。
【発明の詳細な説明】
【技術分野】
【０００１】
本発明は、モンタージュ写真作成方法及び装置に関し、特にメモリカードとカメラ付き携帯電話を利用した新規なモンタージュ写真作成方法及び装置に関する。
【背景技術】
【０００２】
（従来技術）
モンタージュ写真(montage
de photographies：フランス語)とは、何枚かの写真から一部分ずつを取って一つに合成した写真をいうが（広義）、特に犯罪の目撃者などの証言から、犯人の顔形・目鼻立ちなどについて似ているものを集めて合成し、容疑者獲保目的のために使用されている（狭義のモンタージュ写真）。斯かる用途の装置は、ホストコンピュータの外部記憶装置に膨大なパーツデータを記憶し、システムが大掛かりで、パーソナルに誰でも使用することのできるものではない。斯かる装置は時として膨大な犯罪者リストとパターン照合され、容疑者の特定に利用される。よって掛かる装置は非常に高価である（先行技術１）。
【０００３】
モンタージュ写真は例えば、電子手帳の拡張した使用用途、即ちゲーム用途に使用される（先行技術２/特許文献１）。この装置は表示画面に透明なタッチセンサーを有し、タッチペンにより各種入力がなされ得る。表示画面に現された顔写真の特定部位、例えば、目、鼻、口、眉をタッチペンで指定すると、メモリに予め記憶されているパーツデータが読み出され、前記指定位置に当該パーツデータを合わせ込み、所定の人相に合成する。このとき、当該電子手帳が有するプロセッサが乱数を発生し、ユーザが選択した位置に相応しないパーツデータを読み出して合成する。よって出来上がった人相は、ユーザが予期しないものとなり、この意外性をもって“福笑い”的なゲームとして提供している。またアーケードゲームにおいて、はじめに自己の写真を撮影し、これをモニターに表示させつつ、鬚(ひげ)、鬘(かつら)、眉などのパーツデータを被せて合成し、シールに印刷して楽しむ自動写真作成装置が知られている（先行技術３/特許文献２）。これらゲーム感覚の写真シール撮影機は、ここ１０年来、特に女子若年層（中学、高校生）に多く利用されている。
【特許文献１】特開平９−１６７２５０
【特許文献２】特開２００５−１２６６７
【０００４】
（従来技術の問題点）
上述した通り、先行技術１の装置は専門的な用途に限られたもので一般ユーザが使用できるものではない。また、特許文献１の装置は、ユーザの設定とは異なった結果となる構成であり、ユーザが自分好みの合成写真を作成し楽しむことのできるものではない。また装置の表示部に透明タッチセンサーを設け、タッチペンを用いる必要がある。さらに特許文献２の装置は、背景を青いカーテンで構成するとともに、人物画像のみを抽出するためのクロマキー処理を実行しなければならず、さらにはゲームセンターなど限られた場所でしか楽しむことができない。
【発明の開示】
【発明が解決しようとする課題】
【０００５】
ここにおいて、本発明が解決すべき課題は、特に若年層女子を対象に、一般ユーザが手軽に自分の好みの顔イメージを作成することのできるモンタージュ写真作成方法及び装置を提供することにある。その他の課題は、明細書、図面、特に特許請求の範囲から自ずと明らかとなろう。
【課題を解決するための手段】
【０００６】
上記課題解決のため、本発明は、メモリカードに、予め目、鼻、口など複数種類のパーツデータを、各種類ごとに複数記憶しておき、カメラ付き携帯電話の表示部に表示してなる顔画像に、前記メモリカードから読み出した前記パーツデータを合成するモンタージュ写真作成方法を提供する。この構成によれば、パーツデータを記憶してなるメモリカードとカメラ付き携帯電話という簡易な構成で、使用場所に制限されることなく、一般ユーザが手軽にかつ多目的にモンタージュ写真を作成することができる。特にモンタージュ写真を作成するためのベースとなる画像（本願において基画像という）は、カメラ付き携帯電話でデジタルデータとして撮影することができるので、自分の顔をベースとした各種モンタージュ写真を簡易に作成することができる。また、基画像を保存しておいて事後作成することもできる。
【発明を実施するための最良の形態】
【０００７】
以下、本発明を実施するための最良の形態について図面を用いて説明するが、本発明は特許請求の範囲内において種々の形態を採ることができ、下記実施形態に限定されないことはいうまでもない。
【０００８】
（システム構成例）
図１を用いて、本発明が実施されるシステムの概要について説明する。本発明は、カメラ付き携帯電話１と、このカメラ付き携帯電話１のメモリカード用スロット（図示せず）に挿抜されて使用されるメモリカード２とで構成される。メモリカード２は、例えばSDカード（Secure Digital Card）で構成することができる。カメラ付き携帯電話１は、本体操作部１１とこれと一体に構成されている表示部１２とで構成されている。本体操作部１１には、テンキー１１０、上下左右指示キー１１１、決定キー１１２、その他カメラ付き携帯電話１の操作に必要な各種ボタンが設けられている。また図示されていないが、カメラ付き携帯電話１の背面には、CCDカメラが設けられており、撮影者は表示部１２に映っている被写体を確認し、決定キー１１２を押すと被写体がデジタル画像として撮影される。
【０００９】
カメラ付き携帯電話１のハードウエアは、電話の送受信やインターネット接続、パケット通信の制御などを行う通信制御部３０、JPEG画像などの各種画像の処理を実行する画像処理部３１、表示部１２の制御を実行する表示制御部３２、カメラ付き携帯電話１の各種アプリケーションを実行するためのアプリケーションプログラム３３、メモリカードのデータの読み出しや書き込みを実行する外部メモリ制御部３４を有する（図２参照）。画像処理部３１は、例えば、JAVA（登録商標）ヴァーチャルモジュールなどを用いて構成される。アプリケーションプログラム３３は、本発明のモンタージュ写真作成アプリケーション、即ち、メモリカード２に記憶されているパーツデータの読み出し指令があった場合は、これをカメラ付き携帯電話１の表示部１２に表示されている顔画像に上書きするための処理も実行する。尚、これらハードウエアはCPUにより統括的に制御される。また、表示部１２、本体操作部１１が具備する操作部１３（テンキー１１０その他のキーを含む）とCCDカメラ１４は、I/O（入出力）インターフェース（図示せず）を介して、前記ハードウエアにより適宜制御される。また、本カメラ付き携帯電話１は、通信制御部３０の機能により、公衆電話回線４１やインターネット網４２に無線方式で接続される。
【００１０】
図３は、メモリカード２のデータ構造例である。メモリカード２には、アドレスごとに、頭部（額及び髪型）、眉、目、鼻、口などの各種パーツデータ（イメージデータ）がそれぞれ複数格納されている（図において具体的イメージは割愛している）。頭部パーツデータは各種帽子を被ったイメージを加えてもよい。その他、適宜、口髭、顎鬚などのパーツデータを設けてもよい。さらに、鼻や口はピアスをしたイメージデータを加えてもよい。また、アプリケーションプログラム３２のメニューにお化粧モードを設け、アイシャドーを施しあるいは睫毛をカールした目などのイメージデータや各種色の口紅をしたイメージデータなどをさらに設けてもよい。これら各パーツデータは多ければ多いほどよい。各パーツデータはアプリケーションプログラム３２がアドレスによって管理する。アプリケーションプログラム３２はカメラ付き携帯電話１に予め装備されることが好ましいが、サーバからダウンロードして使用する形態であってもよい。
【００１１】
（使用方法例）
モンタージュ写真は、メモリカード２をカメラ付き携帯電話１の当該メモリカード用スロットに装着した状態で作成される。図４はカメラ付き携帯電話１の表示部１２にメニュー画面が現れた様子を表している。図示するように、写真撮影、写真選択、モンタージュ写真作成、配信サービスの各モードからなる。
【００１２】
＜写真撮影モード＞
ユーザは、アプリケーションプログラム３２の指示の下に、ベースとなる自己の写真をカメラ付き携帯電話１の写真撮影機能により撮影することができる。撮影時は表示部１２に、被写体の顔部分を当て嵌めるべきフレーム５１が表示される（図５参照）。上下左右のフレームに収まるようにカメラ位置を調整して撮影する。ボタンＡを押して撮影をすると、「保存しますか」の案内が表示され、保存する場合はボタンＡを押し、もう一度撮影する場合はボタンＤを、保存せずに撮影を終了する場合はボタンＢを押す（図６（Ａ））。保存が完了すると、その旨が表示される（図６（Ｂ））。尚撮影位置のインストラクションは、フレームの他、目の位置の水平線と鼻の位置の垂直線で示したり、その他の方法で行ってもよい。
【００１３】
＜画像選択モード＞
写真を保存したのちそのままモンタージュ写真作成モードに移行してもよいし、過去に撮影し保存しておいた写真とともにこれらを一覧表示して、任意のものを選択させてから移行してもよい。
【００１４】
前者の場合は、前記ボタンＡで画像を保存後、もう一度ボタンＡを押すと、図４のメニュー画面に戻るので、その次にモンタージュ写真作成モードを選択すればよい。後者の場合は、メニュー画面に戻って画像選択モードを選択すると、図７に示すように過去に撮影した画像が一覧表示されるので、上下左右指示キー１１１で画像を選択し、ボタンＡを用いて所望の画像を選択する。
【００１５】
すると、図８に示すように、選択された画像がモニターに拡大表示され、「この写真でいいですか」と表示されるので、ＯＫの場合はボタンＡを押す。ボタンＢを押せば元の一覧表示に戻る。
【００１６】
＜モンタージュ写真作成モード＞
図８でモンタージュ写真作成用の基画像を選択すると、次にモンタージュ写真作成モードに自動的に移行する。ユーザがメニュー画面で先にモンタージュ写真作成モードを選択した場合は、アプリケーションプログラム３２は、図７の画像選択モードに移行して、ユーザに基画像を選択させる。モンタージュ写真作成モードに移行すると、図９に示すように、アプリケーションプログラム３２はまず、初期位置として、頭部（額を含みそれより上部、また頭髪を含む）に、長四角形の枠囲い（カーソル）５２を表示する。このカーソル５２は、ユーザがパーツデータで上書きする位置をアプリケーションプログラム３２に指示するためのものである。上下左右指示キー１１１を用いた上下の指示で、カーソル５２を順次、眉→目→鼻→口へ移行させることができる。ユーザが目のイメージを変更したい場合は、カーソルを目の位置に合わせ、ボタンＡを押すと目のイメージの変更モードに移行する。するとアプリケーションプログラム３２は、メモリカードの目のパーツデータ格納領域から、順次、目のパーツデータを個別に読み出し、オリジナル画像の目の位置（カーソルで指示されている位置）に画像合成して表示する。ユーザが上下左右キー１１１の左キーを操作すると、順次新たなイメージデータが一つずつ読み出され、その読み出されたデータで合成された画像が表示される。そして合成されたパーツの位置を上下左右ボタンで微調整する。また必要に応じ、合成したパーツのイメージを、ボタンＢで拡大、ボタンＤで縮小する。この拡大・縮小の程度は、当該ボタンを押す回数で調整することができる。こうして、合成した画像がユーザのイメージに合致した場合は、ボタンＡを押して保存する（図１０）。
【００１７】
使い方としては、例えば、髪型を変えた場合のイメージ、髪を染めた場合のイメージ、目や鼻などを整形した場合のヴァーチャルイメージ、化粧をした場合のイメージ、
種々様々な帽子などでドレスアップした場合のイメージなどを作成することができる。また男子の場合においても、白髪になった時のイメージ、髪を黒く染めたときの若返りイメージ、髪型を代えたときのイメージ（オールバック、スキンヘッド、角刈り、五分刈り、モヒカン、パンチパーマ、禿(はげ・・M字はげ、その他のはげ頭など）、芸能人や有名人の髪型、最近流行の髪型など)、鼻や唇にピアスをしたときのイメージ（特に若者）、鬚を生やしたときのイメージ、時代を変えたイメージ（ちょんまげをしたイメージ、烏帽子を被った平安貴族のイメージ等々）、老若男女問わず、様々なヴァリエーションのヴァーチャルイメージを作成し、楽しむことができる。
さらに人相学でいう法令線や、頬部（ふくらみや削げ）、がん骨、顎部など、パーツデータの種類を増やすことにより、年齢層や顔の特徴に幅を持たせて、一層バラエティーに富んだイメージを作成することができる。また、マスク、メガネなどのパーツデータを用意すれば、例えば近隣で徘徊する不審者情報の作成などに役立てることもできる。  
【００１８】
＜配信サービスモード＞
さらにメニュー画面で配信サービスモードを選択できるようにしてもよい。配信サービスメニューを選択すると、さらに詳細なサービス内容、例えば、「デコメール」「パズルゲーム」「間違い探し」が示される（図１１）。これら配信サービスアプリケーションを楽しむ場合、まず過去に撮影し保存しておいた画像（オリジナル画像でもよいし、モンタージュ写真に加工したものでもよい）を読み出して、任意の一つを選択する（図１２）。すると、その選択された画像が拡大表示されるので、サーバに送信する場合はボタンＡを押し、今一度選択し直す場合はボタンＢを押す（図１３）。送信が完了すると、「送信が完了しました。ダウンロードURLをe-mailで送信しました」のメッセージが表示される（図１４）。（ダウンロードURLについては後述する）。そして、ボタンＡを押すと、メニュー画面に戻る。いずれのサービスを選択した場合でも、ユーザの選択した画像が、サービス提供会社運営のサーバ（受信サーバ）に送信される。デコメールサービス選択の場合は、受信サーバに接続されている画像処理サーバ（コンピュータ）の画像処理プログラムによってデコメール用の素材が自動作成され、ユーザに配信される。パズルゲーム選択の場合は、ユーザが送信した画像データが例えば９分割（縦３×横３）され、ユーザに配信される。間違い探しサービスを選択した場合は、ユーザが送信した画像データの一部に微小の変更が施され、ユーザに配信される。このようにサーバを利用して各種配信サービスを提供することができる。
【００１９】
また特定ユーザでグループを構成し、各自の画像やモンタージュ写真をサーバにアップロードし、グループ各員のアルバムを保存するようにしてもよい。この場合、管理者権限で予め登録したユーザのみ閲覧可能にすることができる。例えば、同窓生や、いとこ会等でグループを構成すれば、友人や、遠方の親戚、知人等とイメージを媒介とした新たなコミュニケーションを図ることができる。また学校関係者に、近隣の不審者情報（モンタージュ写真を含む）を確認可能に構成してもよい。
【００２０】
（ユーザ認証例）
尚、配信サービスを有料とする場合はユーザ認証を実行するのが好ましい。即ち、メニュー画面で配信サービスが選択されたとき、アプリケーションプログラム３２はライセンスキー入力画面を表示する（図１５）。ライセンスキーは、ユーザがコンテンツであるパーツデータを記録してなるメモリカード２を購入する際、当該メモリカード２のパッケージに同梱されている製品説明書に、当該ユーザ固有のコード番号として記載されているので、ユーザがこのライセンスキーを入力し、ボタンＡで確定すると、受信サーバに送信される（図１６）。受信サーバでは送られたライセンスキーと送信してきたカメラ付き携帯電話１の固体識別番号（若しくは電話番号）をセットで登録し、ユーザ登録完了の旨をユーザに通知する（図１７）。登録完了以降は、そのカメラ付き携帯電話１からのアクセスを無条件で実行する。
【００２１】
（配信方法例）
図１８は、画像配信の第１の実施例であり、カメラ付き携帯電話１がサーバから直接（自動的に）配信を受ける例である。即ちカメラ付き携帯電話１のアプリケーションプログラム３２自体の作用によりサーバより配信を受けるものである。
【００２２】
図１９は、カメラ付き携帯電話１のe-mail機能によりサーバより配信を受ける場合の例である。この場合、ユーザが画像を受信サーバに送信すると受信サーバが受信完了通知をユーザに知らせる。受信サーバは送られてきた画像データを画像処理サーバに送信し画像処理を実行させる。画像処理サーバが画像処理を完了するとその画像を受信サーバに送信する。受信サーバはe-mailに添付してカメラ付き携帯電話１に加工処理済の画像を配信する。尚、この場合は、先に説明したライセンスキー入力による登録の他、自身のカメラ付き携帯電話１のe-mailアドレスを登録する必要がある。
【００２３】
図２０は、ユーザが加工処理された画像の配信を受けるべきURLを、受信サーバがユーザに通知する場合の例である。図示するように、ユーザが自身の画像を受信サーバに送信すると、受信サーバはユーザにURLを通知するとともに、受信した画像データを画像処理サーバに送信する。画像処理サーバはユーザの指定に従って画像を処理し、受信サーバに送信する。ユーザが通知されたURLにアクセスすると、当該URLから処理された画像データを取得することができる。
【００２４】
以上のように、本発明によれば、パーツデータを記憶してなるメモリカードとカメラ付き携帯電話という簡易な構成で、使用場所に制限されることなく、一般ユーザが手軽にかつ多目的にモンタージュ写真を作成することができる。また、サーバを利用して、複数人の間で新種のコミュニケーションを図ることができる。
【図面の簡単な説明】
【００２５】
【図１】本発明を実行するシステム構成例である。
【図２】本発明のカメラ付き携帯電話のハードウエア構成例である。
【図３】本発明のメモリカードのデータ構造例である。
【図４】モンタージュ写真作成時の初期メニュー画面例である。
【図５】本発明による基画像撮影時の画面表示例である。
【図６】（Ａ）基画像を保存する際の表示画面例である。（Ｂ）基画像を保存完了した時の表示画面例である。
【図７】モンタージュ写真作成用基画像一覧を表示した時の表示画面例である。
【図８】モンタージュ写真用基画像が選択されたときの画面表示例である。
【図９】モンタージュ写真を作成する際の画面表示例である。
【図１０】作成したモンタージュ写真の画面表示例（模式）である。
【図１１】配信サービスのメニュー選択画面例である。
【図１２】サーバ送信用画像選択時の画面表示例である。
【図１３】配信用画像が選択されたときの画面表示例である。
【図１４】画像をサーバに送信したときの画面表示例である。
【図１５】ライセンスキー入力画面の表示例である。
【図１６】ライセンスキー入力後の画面表示例である。
【図１７】ライセンスキー登録完了時の画面表示例である。
【図１８】画像配信の第１の方法例である。
【図１９】画像配信の第２の方法例である。
【図２０】画像配信の第３の方法例である。
【符号の説明】
【００２６】
１  カメラ付き携帯電話
２  メモリカード
１１  本体操作部
１２  表示部
１３  操作部
１４  CCDカメラ
３０  通信制御部
３１  画像処理部
３２  表示制御部
３３  アプリケーションプログラム
３４  外部メモリ制御部
４１  公衆電話回線
４２  インターネット網
５１  フレーム
５２  カーソル
１１０  テンキー
１１１  上下左右指示キー
１１２  決定キー
【図１】
2009140047.tif 000003
【図２】
2009140047.tif 000004
【図３】
2009140047.tif 000005
【図４】
2009140047.tif 000006
【図５】
2009140047.tif 000007
【図６】
2009140047.tif 000008
【図７】
2009140047.tif 000009
【図８】
2009140047.tif 000010
【図９】
2009140047.tif 000011
【図１０】
2009140047.tif 000012
【図１１】
2009140047.tif 000013
【図１２】
2009140047.tif 000014
【図１３】
2009140047.tif 000015
【図１４】
2009140047.tif 000016
【図１５】
2009140047.tif 000017
【図１６】
2009140047.tif 000018
【図１７】
2009140047.tif 000019
【図１８】
2009140047.tif 000020
【図１９】
2009140047.tif 000021
【図２０】
2009140047.tif 000022